(57)【要約】【課題】簡素な構造によりビーム角の調整を単独で行うことなく照射方向の調整およびビーム角の調整を連動できる照明器具を提供する。【解決手段】照明器具１０は、光源１７と、光源１７からの光を被照射対象方向に制御する配光制御部材１８と、光源１７のビーム角を調整するビーム角調整部１４と、光源１７の照射方向を調整する照射方向調整部１１と、照射方向調整部１１の調整方向に合わせてビーム角調整部１４を調整するように連動する連動部１５とを備える。【選択図】図１
2012133972.tif 000002
【特許請求の範囲】
【請求項１】
光源と、
前記光源からの光を被照射対象方向に制御する配光制御部材と、
前記光源のビーム角を調整するビーム角調整部と、
前記光源の照射方向を調整する照射方向調整部と、
前記照射方向調整部の調整方向に合わせて前記ビーム角調整部を調整するように連動する連動部とを備える照明器具。
【請求項２】
請求項１に記載の照明器具において、
前記照射方向調整部は、支持部と、前記光源および前記配光制御部材が設けられて第１回動軸を介して前記支持部に連結され、前記支持部に対して回動する回動部とを備え、前記回動部の回動に合わせて前記光源および前記配光制御部材が回動される照明器具。
【請求項３】
請求項１または請求項２に記載の照明器具において、
前記ビーム角調整部は、前記配光制御部材が前記光源に対して接離することによりビーム角を調整する照明器具。
【請求項４】
請求項３に記載の照明器具において、
前記ビーム角調整部は、照射方向が下向きの時に、前記光源が前記配光制御部材の焦点から最も遠く、下向きからの角度が大きくなるにしたがって前記焦点とのずれが小さくなるように調整する照明器具。
【請求項５】
請求項１ないし請求項４のうちのいずれか１項に記載の照明器具において、
前記配光制御部材は、光軸方向に移動可能に前記回動部に設置され、
前記連動部は、前記第１回動軸とは独立した第２回動軸により、前記支持部および前記配光制御部材を連結する照明器具。
【請求項６】
請求項１または請求項２に記載の照明器具において、
前記支持部に固定され、前記回動部が回動された際に前記配光制御部材をガイドするガイド部を備える照明器具。
【発明の詳細な説明】
【技術分野】
【０００１】
本発明は、例えば店舗に設置されて照射方向を変えて照射するスポットライト等に適用される照明器具に関する。
【背景技術】
【０００２】
従来より、距離測定センサが測定する照射角を算出し、その算出結果に基づいて照射角を制御するとともに、被照射対象の位置を算出し、その算出結果に基づいて照射方向を制御する照明器具が知られている（例えば、特許文献１参照）。
前述した特許文献１に記載された照明器具は、被照射対象に合わせて照射方向を自動的に設定でき、フォーカシングを自動的にできる。
【先行技術文献】
【特許文献】
【０００３】
【特許文献１】特開平１０−９２２０３号公報（図１、請求項１）
【発明の概要】
【発明が解決しようとする課題】
【０００４】
通常、店舗に設置されるスポットライト等の照明器具は、手動により被照射対象に向けて照射方向を任意に変えることができる。
そこで、照明器具に装備されている反射板やレンズを動かすことによりビーム角を変更するようにした照明器具が提案されている。
しかし、このような従来の照明器具は、被照射対象である床面やテーブル等を照射する場合、設置される天井面の下方向を照射する場合に照射パターンが最も小さくなり、天井面の下方向から斜めに照射方向を変更していく場合に照明器具から被照射対象までの距離が大きくなっていくために照射パターンが大きくなる。
従って、このような従来の照明器具は、照射パターンの大きさに変動を生ずる。
一方、特許文献１の照明器具は、このような問題を解決するために提案されたものであり、被照射対象に合わせて照射方向を自動的に設定でき、フォーカシングを自動的にできる。
しかし、特許文献１の照明器具は、照射方向の調整と、ビーム角の調整とを独立して行わなければならない。
従って、特許文献１の照明器具は、多くの部品点数を必要として複雑な構造になる。
【０００５】
本発明は、前述した課題を解決するためになされたものであり、その目的は、簡素な構造によりビーム角の調整を単独で行うことなく照射方向の調整およびビーム角の調整を連動できる照明器具を提供することにある。
【課題を解決するための手段】
【０００６】
本発明に係る照明器具は、光源と、前記光源からの光を被照射対象方向に制御する配光制御部材と、前記光源のビーム角を調整するビーム角調整部と、前記光源の照射方向を調整する照射方向調整部と、前記照射方向調整部の調整方向に合わせて前記ビーム角調整部を調整するように連動する連動部とを備える。
【０００７】
本発明に係る照明器具は、前記照射方向調整部は、支持部と、前記光源および前記配光制御部材が設けられて第１回動軸を介して前記支持部に連結され、前記支持部に対して回動する回動部とを備え、前記回動部の回動に合わせて前記光源および前記配光制御部材が回動される。
【０００８】
本発明に係る照明器具は、前記ビーム角調整部は、前記配光制御部材が前記光源に対して接離することによりビーム角を調整する。
【０００９】
本発明に係る照明器具は、前記ビーム角調整部は、照射方向が下向きの時に、前記光源が前記配光制御部材の焦点から最も遠く、下向きからの角度が大きくなるにしたがって前記焦点とのずれが小さくなるように調整する。
【００１０】
本発明に係る照明器具は、前記配光制御部材は、光軸方向に移動可能に前記回動部に設置され、前記連動部は、前記第１回動軸とは独立した第２回動軸により、前記支持部および前記配光制御部材を連結する。
【００１１】
本発明に係る照明器具は、前記支持部に固定され、前記回動部が回動された際に前記配光制御部材をガイドするガイド部を備える。
【発明の効果】
【００１２】
本発明に係る照明器具によれば、簡素な構造によりビーム角の調整を単独で行うことなく照射方向の調整およびビーム角の調整を連動できるという効果を奏する。
【図面の簡単な説明】
【００１３】
【図１】本発明に係る第１実施形態の照明器具の正面図
【図２】本発明に係る第１実施形態の照明器具の一部破断側面図
【図３】本発明に係る第１実施形態の照明器具の回動部の左斜め方向の正面図
【図４】本発明に係る第１実施形態の照明器具の回動部の左水平方向の正面図
【図５】本発明に係る第１実施形態の照明器具の回動部の右斜め方向の正面図
【図６】本発明に係る第１実施形態の照明器具の回動部の右水平方向の正面図
【図７】本発明に係る第１実施形態の照明器具の照射パターンの概略図
【図８】本発明に係る第１実施形態の照明器具の変形例の正面図
【図９】本発明に係る第２実施形態の照明器具の正面図
【図１０】本発明に係る第２実施形態の照明器具の一部破断側面図
【図１１】本発明に係る第２実施形態の照明器具の回動部の左斜め方向の正面図
【図１２】本発明に係る第２実施形態の照明器具の回動部の左水平方向の正面図
【図１３】本発明に係る第２実施形態の照明器具の回動部の右斜め方向の正面図
【図１４】本発明に係る第２実施形態の照明器具の回動部の右水平方向の正面図
【発明を実施するための形態】
【００１４】
以下、本発明に係る複数の実施形態の照明器具について図面を参照して説明する。
（第１実施形態）
図１に示すように、本発明に係る第１実施形態の照明器具１０は、支持部１２と回動部１３とを有する照射方向調整部１１と、ビーム角調整部１４と、連動部１５とを備えて天井施工面１に設置されるスポットライトである。
照射方向調整部１１は、支持部１２に一対の板部材１６を備え、回動部１３に、光源１７と、配光制御部材であるレンズ１８と、レンズホルダ１９と、ヒートシンク２０とを装備し、第１回動軸２１を備える。照射方向調整部１１は、光源１７からの光を被照射対象方向に制御する。
ビーム角調整部１４は、一対の連結軸２２と、一対のスリット２３とからなり、光源１７のビーム角を調整する。
連動部１５は、一対の第２回動軸２４と、連結部である一対のリンクアーム２５とからなり、照射方向調整部１１の調整方向に合わせてビーム角調整部１４を調整するように連動する。
【００１５】
回動部１３は、アルミニウム等の金属材料や樹脂材料等により円筒形状に形成されている。回動部１３は、内部において、上方にヒートシンク２０が取り付けられており、下端部の開口部２６側にレンズホルダ１９を介してレンズ１８が軸方向に平行に光源１７に対して近づく方向および離れる方向に進退可能に組み込まれている。
ヒートシンク２０は、アルミニウムの押出成型やダイカスト成型により作成されており、光源１７が取り付けられる基板部材２７に熱的に接続されている。ヒートシンク２０は、光源１７が点灯されることにより発した熱を回動部１３の上方に向けて放出する。
【００１６】
レンズ１８は、アクリルやポリカーボネート等の樹脂材料やガラス材料を成形して作成される。レンズ１８は、光源１７の前方に配置されており、光源１７が発した光を所定の配光に制御して被照射対象に向けて出射させる。
なお、配光制御部材としては、レンズ１８に代えて反射板でもよく、反射板の場合、アルミニウム製の板部材を絞り加工する等により作成される。
レンズホルダ１９は、例えば樹脂製であって、内側にレンズ１８を保持する。レンズホルダ１９には、回動部１３の軸方向に予め定められた長さを有して貫通して形成されたビーム角調整部１４のスリット２３を通じて連結軸２２の先端部が取り付けられている。
【００１７】
光源１７は、白熱電球やハロゲン電球や高輝度放電灯や蛍光灯やＬＥＤである。光源１７は、不図示の点灯回路から給電されることにより光を発する。
なお、光源１７は、複数のＬＥＤを有するＬＥＤユニットとしてもよく、その場合、複数のＬＥＤに対応した数のレンズ１８が装備される。
【００１８】
図２に示すように、一対の板部材１６は回動部１３を囲むように対向して配置される。板部材１６には、回動部１３の上端部寄りに貫通された第１回動軸２１が一対の間隙部材２８を介して挿通される一対の第１回動軸挿通孔３０を有する。第１回動軸２１は、回動部１３を回動自在に支持するために、回動部１３により光源１７からの光が被照射対象方向に制御される。
【００１９】
一対の板部材１６は、リンクアーム２５の基端部に回動自在に挿通された第２回動軸２４を取り付けるための第２回動軸固定孔２９を有する。
リンクアーム２５は、スリット２３に届く長さを有し、先端部に連結軸２２が取り付けられている。
連結軸２２は、回動部１３に形成されたスリット２３の軸方向に移動自在に支持されており、スリット２３を通じてレンズホルダ１９に取り付けられている。
【００２０】
次に、照明器具１０の動作について説明する。
照明器具１０は、図１に示した状態において、回動部１３が位置Ａ１にある。このとき、連結軸２２がスリット２３の位置Ｂ１に位置するために、レンズホルダ１９はレンズ１８が光源１７に一番近づいた位置Ｃ１にある。
そのため、レンズ１８は、光源１７に対して最も遠い位置に焦点位置Ｄ１が配置される。そして、焦点位置Ｄ１により設定されたビーム角で、光源１７からの光が下方に向けて出射される。
【００２１】
図３に示すように、回動部１３が手動または自動により、図１に示す状態から、図３中において、左斜めの位置Ａ２まで時計回転方向にほぼ４５度回動されると、リンクアーム２５が回動部１３の回動に応じて追従されて時計回転方向に回動される。すると、連結軸２２がスリット２３の位置Ｂ２に位置するために、レンズホルダ１９はレンズ１８が光源１７からわずかに離れた位置Ｃ２まで軸方向に押し出され、レンズ１８は、光源１７からわずかに離れた位置に焦点位置Ｄ２が配置される。
そのため、焦点位置Ｄ１の場合よりもわずかに小さいものとして焦点位置Ｄ２により設定されたビーム角で、光源１７からの光が左斜め方向に向けて出射される。
【００２２】
図４に示すように、回動部１３が手動または自動により、図３に示す状態から、図４中において、左水平の位置Ａ３まで時計回転方向にさらに回動されると、リンクアーム２５が回動部１３の回動に応じて追従されて時計回転方向に回動される。すると、連結軸２２がスリット２３の位置Ｂ３に位置するために、レンズホルダ１９はレンズ１８が光源１７から離れた位置Ｃ３まで軸方向に押し出され、レンズ１８は、光源１７に対して最も近い位置に焦点位置Ｄ３が配置される。
そのため、焦点位置Ｄ２の場合よりもわずかに小さいものとして焦点位置Ｄ３により設定されたビーム角で、光源１７からの光が左水平方向に向けて出射される。
【００２３】
図５に示すように、回動部１３が手動または自動により、図１に示す状態から、図５中において、右斜めの位置Ａ４まで反時計回転方向にほぼ４５度回動されると、リンクアーム２５が回動部１３の回動に応じて追従されて反時計回転方向に回動される。すると、連結軸２２がスリット２３の位置Ｂ４に位置するために、レンズホルダ１９はレンズ１８が光源１７からわずかに離れた位置Ｃ４まで軸方向に押し出され、レンズ１８は、光源１７からわずかに離れた位置に焦点位置Ｄ４が配置される。
そのため、焦点位置Ｄ１の場合よりもわずかに小さいものとして焦点位置Ｄ４により設定されたビーム角で、光源１７からの光が右斜め方向に向けて出射される。
【００２４】
図６に示すように、回動部１３が手動または自動により、図５に示す状態から、図６中において、右水平の位置Ａ５まで反時計回転方向にさらに回動されると、リンクアーム２５が回動部１３の回動に応じて追従されて反時計回転方向に回動される。すると、連結軸２２がスリット２３の位置Ｂ５に位置するために、レンズホルダ１９はレンズ１８が光源１７から離れた位置Ｃ５まで軸方向に押し出され、レンズ１８は、光源１７に対して最も近い位置に焦点位置Ｄ５が配置される。
そのため、焦点位置Ｄ４の場合よりもわずかに小さいものとして焦点位置Ｄ５により設定されたビーム角で、光源１７からの光が右水平方向に向けて出射される。
【００２５】
図７に示すように、照明器具１０は、照射方向が下向きの時に、光源１７がレンズ１８の焦点位置Ｄ１から最も遠く、下向きからの角度が大きくなるにしたがって焦点位置Ｄ２、焦点位置Ｄ３、焦点位置Ｄ４、焦点位置Ｄ５とのずれが小さくなるように調整される。すなわち、回動部１３の下方位置Ｅ１から左斜め位置Ｅ２および左斜め位置Ｅ３を含む左方向位置において大きさに変動のない照射パターン２で被照射対象である床面３を照射できる。また、回動部１３の下方位置Ｅ１から右斜め位置Ｅ４および右斜め位置Ｅ５を含む右方向位置において大きさに変動のない照射パターン２で床面３を被照射できる。
従って、照射パターン２の大きさの変動を抑制できる。
【００２６】
図８に示すように、本発明に係る第１実施形態の照明器具１０の変形例は、支持部１２が回転機構３１を介して天井施工面１に設置されている。
本変形例では、ビーム角の調整とは連動せずに、回転機構３１により支持部１２および回動部１３が回転可能であるために、広範囲を照射できる。
【００２７】
以上、説明したように第１実施形態の照明器具１０によれば、連動部１５により、照射方向調整部１１の調整に合わせてビーム角調整部１４が連動して調整されるために、簡素な構造によりビーム角の調整を単独で行うことなく照射方向の調整およびビーム角の調整を連動できる。
【００２８】
また、第１実施形態の照明器具１０によれば、回動部１３の第１回動軸２１を介する回動に合わせて光源１７およびレンズ１８が回動されるために、照射方向の調整を簡単にできる。
【００２９】
そして、第１実施形態の照明器具１０によれば、レンズ１８が光源１７に対して接離するだけでビーム角が調整されるために、ビーム角調整部１４を簡素な構造にできる。
【００３０】
さらに、第１実施形態の照明器具１０によれば、ビーム角調整部１４により、照射方向が下向きの時に、光源１７がレンズ１８の焦点位置Ｄ１から最も遠く、下向きからの角度が大きくなるにしたがって焦点位置Ｄ２、焦点位置Ｄ３、焦点位置Ｄ４、焦点位置Ｄ５とのずれが小さくなるように調整されるために、照射パターン２の大きさの変動を抑制できる。
【００３１】
加えて、第１実施形態の照明器具１０によれば、レンズ１８が光軸方向に移動可能に回動部１３に設置され、第２回動軸２４により支持部１２とレンズ１８を保持するレンズホルダ１９とが連結されるために、簡単な構造で、レンズ１８を回動部１３の回動に連動させて光軸方向に移動できる。
【００３２】
（第２実施形態）
次に、本発明に係る第２実施形態の照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００３３】
図９および図１０に示すように、本発明に係る第２実施形態の照明器具４０は、支持部１２の一対の板部材１６の所定位置に、略Ｃ字形状に形成されて連結軸２２が移動自在に支持されるガイド溝４２を有する一対のガイド部４１を備える。ガイド部４１のガイド溝４２は、第１回動軸２１からの距離が、天井施工面１に垂直な方向よりも天井施工面１に平行な方向の方が長くなるように形成されている。
【００３４】
照明器具４０は、図９に示した状態において、回動部１３が位置Ａ１にあると、ガイド溝４２に支持されている連結軸２２がスリット２３の位置Ｂ１に位置するために、レンズホルダ１９はレンズ１８が光源１７に一番近づいた位置Ｃ１にある。
そのため、レンズ１８は、光源１７に対して最も遠い位置に焦点位置Ｄ１が配置される。そして、焦点位置Ｄ１により設定されたビーム角で、光源１７からの光が下方に向けて出射される。
【００３５】
図１１に示すように、回動部１３が手動または自動により、図９に示す状態から、図１１中において、左斜めの位置Ａ２まで時計回転方向にほぼ４５度回動されると、ガイド溝４２に支持されている連結軸２２がガイド溝４２内を時計回転方向に移動する。そして、直結軸２２がスリット２３の位置Ｂ２に位置するために、レンズホルダ１９はレンズ１８が光源１７からわずかに離れた位置Ｃ２まで軸方向に押し出され、レンズ１８は、光源１７からわずかに離れた位置に焦点位置Ｄ２が配置される。
そのため、焦点位置Ｄ１の場合よりもわずかに小さいものとして焦点位置Ｄ２により設定されたビーム角で、光源１７からの光が左斜め方向に向けて出射される。
【００３６】
図１２に示すように、回動部１３が手動または自動により、図１１に示す状態から、図１２中において、左水平の位置Ａ３まで時計回転方向にさらに回動されると、ガイド溝４２に支持されている連結軸２２がガイド溝４２内を時計回転方向に移動する。そして、直結軸２２がスリット２３の位置Ｂ３に位置するために、レンズホルダ１９はレンズ１８が光源１７から離れた位置Ｃ３まで軸方向に押し出され、レンズ１８は、光源１７に対して最も近い位置に焦点位置Ｄ３が配置される。
そのため、焦点位置Ｄ２の場合よりもわずかに小さいものとして焦点位置Ｄ３により設定されたビーム角で、光源１７からの光が左水平方向に向けて出射される。
【００３７】
図１３に示すように、回動部１３が手動または自動により、図９に示す状態から、図１２中において、右斜めの位置Ａ４まで反時計回転方向にほぼ４５度回動されると、ガイド溝４２に支持されている連結軸２２がガイド溝４２内を反時計回転方向に移動する。そして、直結軸２２がスリット２３の位置Ｂ４に位置するために、レンズホルダ１９はレンズ１８が光源１７からわずかに離れた位置Ｃ４まで軸方向に押し出され、レンズ１８は、光源１７からわずかに離れた位置に焦点位置Ｄ４が配置される。
そのため、焦点位置Ｄ１の場合よりもわずかに小さいものとして焦点位置Ｄ４により設定されたビーム角で、光源１７からの光が右斜め方向に向けて出射される。
【００３８】
図１４に示すように、回動部１３が手動または自動により、図１３に示す状態から、図１４中において、右水平の位置Ａ５まで反時計回転方向にさらに回動されると、ガイド溝４２に支持されている連結軸２２がガイド溝４２内を反時計回転方向に移動する。そして、直結軸２２がスリット２３の位置Ｂ５に位置するために、レンズホルダ１９はレンズ１８が光源１７から離れた位置Ｃ５まで軸方向に押し出され、レンズ１８は、光源１７に対して最も近い位置に焦点位置Ｄ５が配置される。
そのため、焦点位置Ｄ４の場合よりもわずかに小さいものとして焦点位置Ｄ５により設定されたビーム角で、光源１７からの光が右水平方向に向けて出射される。
【００３９】
第２実施形態の照明器具４０によれば、支持部１２の一対の板部材１６に固定されて、回動部１３が回動された際にレンズ１８を保持するレンズホルダ１９に取り付けられた連結軸２２をガイド溝４２によりガイドするガイド部４１を備えることにより、簡素な構造によりビーム角の調整を単独で行うことなく照射方向の調整およびビーム角の調整を連動できる。
【００４０】
なお、本発明の照明器具において支持部，回動部等は、前述した各実施形態に限定されるものでなく、適宜な変形や改良等が可能である。
【符号の説明】
【００４１】
１０，４０  照明器具
１１  照射方向調整部
１２  支持部
１３  回動部
１４  ビーム角調整部
１５  連動部
１７  光源
１８  レンズ（配光制御部材）
２１  第１回動軸
２４  第２回動軸
４１  ガイド部
【図１】
2012133972.tif 000003
【図２】
2012133972.tif 000004
【図３】
2012133972.tif 000005
【図４】
2012133972.tif 000006
【図５】
2012133972.tif 000007
【図６】
2012133972.tif 000008
【図７】
2012133972.tif 000009
【図８】
2012133972.tif 000010
【図９】
2012133972.tif 000011
【図１０】
2012133972.tif 000012
【図１１】
2012133972.tif 000013
【図１２】
2012133972.tif 000014
【図１３】
2012133972.tif 000015
【図１４】
2012133972.tif 000016